(57)【要約】【課題】  作業者が座ると作業者の体重により車輪の回転が妨げられ、それにより作業用移動椅子の移動が妨げられる簡単な構造の作業用移動椅子を提供する。【解決手段】  作業用移動椅子１０を座部材２と、座部材２に対して予め定める角度で結合された背部材３と、背部材３の下端から下方に延出した脚部材７と、座部材７に取り付けられた車輪５と、座部材２の背部材３が結合された側とは反対側の端部から上方へ延出し、脚部材７の下端を作業用移動椅子１０が置かれている面から離隔させるためのレバー６とから構成する。【選択図】  図１
0003105105.tif 000002
【実用新案登録請求の範囲】
【請求項１】
作業者が座って作業するための移動可能な作業用移動椅子であって、
座部材と、
該座部材に対して予め定める角度で結合された背部材と、
前記座部材に取り付けられた車輪と、
前記背部材の下端若しくは前記座部材の背部材側から下方に延出した脚部材と、
前記座部材の前記背部材が結合された側とは反対側の端部から上方に延出して設けられ、前記脚部材の下端を当該作業用移動椅子が置かれた面から離隔させるために作業者が重心を前方に移動するのを補助するレバーと、を備えたことを特徴とする作業用移動椅子。
【請求項２】
前記座部材と前記背部材の上面に板部材が張設されていることを特徴とする、請求項１記載の作業用移動椅子。
【請求項３】
前記板部材がメッシュシートであることを特徴とする、請求項２記載の作業用移動椅子。
【請求項４】
前記板部材がシート材であることを特徴とする、請求項２記載の作業用移動椅子。
【請求項５】
前記座部材の両側端部に肘を掛けるための肘掛け部材が設けられていることを特徴とする、請求項１乃至４のいずれかに記載の作業用移動椅子。
【請求項６】
前記脚部材の上下方向の長さが、前記車輪の半径にほぼ等しいことを特徴とする、請求項１乃至５のいずれかに記載の作業用移動椅子。
【請求項７】
前記背部材の上方に持ち運び用のアッパアームが備えられたことを特徴とする、請求項１乃至６のいずれかに記載の作業用移動椅子。
【考案の詳細な説明】
【技術分野】
【０００１】
本考案は、作業用移動椅子に関する。
【背景技術】
【０００２】
従来、特殊な姿勢で作業しながら移動する必要がある作業用移動椅子としては種々のものが考案されており、例えば、下記特許文献には、座面の下側に移動用の車輪が設けられ、さらに座面のほぼ中央部に背凭れ用板が取り付けられた畑作業用車椅子が記載されている。
【特許文献１】実開平１−１４２６０８号公報
【考案の開示】
【考案が解決しようとする課題】
【０００３】
しかしながら、上記特許文献に記載された畑作業用車椅子の場合、車輪の回転を停止させる手段が設けられていないので、作業者が畑作業用車椅子の移動を停止させるためには、手足などを用いて畑作業用車椅子の移動を停止させなければならないという問題点があった。さらに、畑作業用車椅子の停止状態を保持するための手段が設けられていないので、作業者が畑作業用車椅子の停止状態を保持するためには、手足などを使って畑作業用車椅子を係止しておかねばならないという問題点もあった。
【０００４】
本考案は、このような事情に鑑みなされたもので、その目的は、作業者が座ると作業者の体重により車輪の回転が妨げられ、それにより作業用移動椅子の移動が妨げられる簡単な構造の作業用移動椅子を提供することにある。
【課題を解決するための手段】
【０００５】
上記課題を達成するために、請求項１記載の作業用移動椅子は、作業者が座って作業するための移動可能な作業用移動椅子であって、座部材と、該座部材に対して予め定める角度で結合された背部材と、前記座部材に取り付けられた車輪と、前記背部材の下端若しくは前記座部材の背部材側から下方に延出した脚部材と、前記座部材の前記背部材が結合された側とは反対側の端部から上方に延出して設けられ、前記脚部材の下端を当該作業用移動椅子が置かれた面から離隔させるために作業者が重心を前方に移動するのを補助するレバーと、を備えたことを特徴としている。
【０００６】
このような構成によると、作業者が作業用移動椅子に座ると脚部材の下端と作業用移動椅子が置かれた面との間に、作業用移動椅子の質量及び作業用移動椅子に座っている作業者の体重に起因する摩擦力が生じる。この摩擦力により車輪の回転が妨げられる。これにより、作業用移動椅子の移動が妨げられる。また、作業用移動椅子に座っている作業者がレバーを掴んで重心を前方に移動することにより、脚部材の下端を作業用移動椅子が置かれた面から離隔させ、車輪を回転させることができる。これにより、作業用移動椅子を移動させることができる。
【０００７】
又、請求項２記載の考案は、請求項１記載の作業用移動椅子において、前記座部材と前記背部材の上面に板部材が張設されていることを特徴としている。
このような構成によると、作業者は板部材をそれぞれ座面及び背凭れ面として用いることができる。
【０００８】
又、請求項３記載の考案は、請求項２記載の作業用移動椅子において、前記板部材がメッシュシートであることを特徴としている。
このような構成によると、座面及び背凭れ面を種々の体格をした作業者の身体に合致させることができる。
【０００９】
又、請求項４記載の考案は、請求項２記載の作業用移動椅子において、前記板部材がシート材であることを特徴としている。
このような構成によると、座面及び背凭れ面を種々の体格をした作業者の身体に合致させることができる。
【００１０】
又、請求項５記載の考案は、請求項１乃至４のいずれかに記載の作業用移動椅子において、前記座部材の両側端部に肘を掛けるための肘掛け部材が設けられていることを特徴としている。
【００１１】
このような構成によると、作業用移動椅子に座っている作業者は肘掛け部材により上体を左右方向に揺れないように保持することができる。
又、請求項６記載の考案は、請求項１乃至５のいずれかに記載の作業用移動椅子において、前記脚部材の上下方向の長さが、前記車輪の半径にほぼ等しいことを特徴としている。
【００１２】
このような構成によると、作業用移動椅子の座部材をほぼ水平の状態にして作業することができる。
又、請求項７記載の考案は、請求項１乃至６のいずれかに記載の作業用移動椅子において、前記背部材の上方に持ち運び用のアッパアームが備えられたことを特徴としている。
【００１３】
このような構成によると、アッパアームを掴み脚部材の下端を作業用移動椅子が置かれた面から離隔させて、作業用移動椅子を容易に運搬することができる。
【考案を実施するための最良の形態】
【００１４】
以下に、本考案の一実施形態を、図１乃至図４を参照して説明する。
図１は、本考案に係る一実施形態としての作業用移動椅子の斜視図である。図２は、作業用移動椅子の側面図である。図３は、作業用移動椅子の平面図である。図４は、作業用移動椅子の正面図である。
【００１５】
図１に示す作業用移動椅子１０は、座部材２、背部材３、肘掛け部材４、車輪５、レバー６、脚部材７及びアッパアーム８などから構成されている。
座部材２は、図２に示すように、枠部材２１、座板２２及び補強部材２３から構成されている。
【００１６】
枠部材２１は、一平面内で形成された四辺形の枠である。四辺の枠は正方形あるいは矩形の断面を有する直線部材から構成されている。なお、直線部材の断面は正方形や矩形に限らず、多角形あるいは円形や楕円形であってもよい。あるいは直線部材の断面は閉断面に限らずコの字型やＬ字型のような開断面であってもよい。また、閉断面の場合は、枠部材２１の重量軽減のために直線部材を中空にした管状部材を用いてもよい。枠部材２１は、例えば鉄、アルミ合金などの金属から作ることができる。あるいは枠部材２１を木製、樹脂製としてもよい。四辺の結合は、溶接、ビス締め、接着などを用いて行うことができる。あるいは、枠部材２１を一体的に成形してもよい。
【００１７】
座板２２は、枠部材２１の上側に取り付けられた板部材である。座板２２には、図３に示すように、座板２２を貫通する複数の長穴２２ａが設けられている。長穴２２ａは、座板２２の通気性を向上させるとともに、座板２２の重量を軽減し、座板２２上に例えば水や土砂など異物が堆積することを防止している。それにより、座板２２の上面を常に清潔に保つことができる。座板２２は、枠部材２１に溶接、ビス締め、接着などを用いて取り付けることができる。座板２２は、枠部材２１と同一の材質から作ることができる。
【００１８】
補強部材２３は、枠部材２１の対向する２辺の間に挿入された部材である。補強部材２３の両端は枠部材２１の対向する２辺にそれぞれ当接している。本実施形態の場合、補強部材２３は、図２に示すように、作業用移動椅子１０の前後方向（図２のＦあるいはＲ方向）に直角の方向に挿入されている。補強部材２３の断面は、枠部材２１の断面と同じ断面を用いることができる。補強部材２３は、枠部材２１に溶接、ビス締め、接着などを用いて取り付けることができる。補強部材２３は、枠部材２１と同一の材質から作ることができる。
【００１９】
座部材２の大きさとしては、人間が一人座れるだけの大きさであればよく、座板２２の前後方向（図２のＦあるいはＲ方向）の長さは３０〜４０ｃｍであればよい。また、座板２２の左右方向（図２の紙面に垂直な方向）の幅は４０〜５０ｃｍであればよい。例えば、座板２２の前後方向（図２のＦあるいはＲ方向）の長さを３５ｃｍ、座板２２の左右方向（図２の紙面に垂直な方向）の幅を４５ｃｍとすると、作業用移動椅子１０を狭い場所でも容易に使用することができる。
【００２０】
背部材３は、図２に示すように、枠部材３１、背凭れ板３２及び補強部材３３から構成されている。
枠部材３１は、一平面内で形成された四辺形の枠である。四辺の枠は正方形あるいは矩形の断面を有する直線部材から構成されている。なお、直線部材の断面は正方形や矩形に限らず、多角形あるいは円形や楕円形であってもよい。あるいは直線部材の断面は閉断面に限らずコの字型やＬ字型の開断面であってもよい。また、閉断面の場合は、枠部材２１の重量軽減のために直線部材を中空にした管状部材を用いてもよい。枠部材３１は、例えば鉄、アルミ合金などの金属から作ることができる。あるいは枠部材３１を木製、樹脂製としてもよい。四辺の結合は、溶接、ビス締め、接着などを用いて行うことができる。あるいは、枠部材３１を一体的に成形してもよい。
【００２１】
背部材３は、座部材２の後端部（図２のＲ方向側端部）に、座部材２に対して９０〜１００度の角度で結合されている。背部材３と座部材２との組付けは、溶接、ビス締め、接着などを用いて行うことができる。背部材３の枠部材３１の構造、材質は、座部材２の枠部材２１の構造、材質と同一であるのでここでは説明を省略する。
【００２２】
背凭れ板３２には、図４に示すように、背凭れ板３２を貫通する複数の長穴３２ａが設けられている。長穴３２ａは、背凭れ板３２の通気性を向上させるとともに、背凭れ板３２の重量を軽減し、背凭れ板３２上に例えば水や土砂など異物が堆積することを防止している。それにより、背凭れ板３２の上面を常に清潔に保つことができる。背凭れ板３２の形状、材質は、座板２２の形状、材質と同一であるのでここでは説明を省略する。
【００２３】
背部材３の補強部材３３の形状、材質は、座部材２の補強部材２３の形状、材質と同一であるのでここでは説明を省略する。
肘掛け部材４は、座部材２の左右方向（図２の紙面に垂直な方向）の両側端部の上方に設けられた湾曲部材である。肘掛け部材４は、作業用移動椅子１０の座板２２に座っている作業者の肘掛け用の部材となる。また、肘掛け部材４は、作業用移動椅子１０の座板２２に座っている作業者の上体が左右方向に揺れないように保持する働きをする。
【００２４】
肘掛け部材４の前端は、枠部材２１の左右両側端の２本の直線部材の前端部（図２のＦ方向側の端部）に取り付けられている。肘掛け部材４の後端は、枠部材２１の左右両側端の２本の直線部材の後端部（図２のＲ方向側の端部）に取り付けられている。枠部材２１への取り付けは、溶接やビス締めなどにより行われる。肘掛け部材４は、枠部材２１と同じ材質から作ることができる。
【００２５】
車輪５は、図３や図４に示すように、座部材２の左右両側面に配置されている。なお、作業用移動椅子１０は、左右対称形であるので図３、図４では左右方向の半分側についてのみ符号をつけて説明し、残りの半分については符号及び説明を省略する。図３に示す座部材２の枠部材２１の下面には軸受５２がボルト５２ａによって枠部材２１に取り付けられている。軸受５２に支持された軸５１には車輪５が組付けられている。
【００２６】
脚部材７は、背部材３の下端部若しくは座部材２の背部材側（図２のＲ方向側）からほぼ鉛直下方（図２のＤ方向）に延出した部材である。脚部材７の断面は、角型や丸型のいずれでもよく軽量化のために中空断面としてもよい。図２に示す脚部材７の下端が作業用移動椅子１０の置かれた面に接すると、作業用移動椅子１０と面との間に作業用移動椅子１０の質量及び作業用移動椅子１０の上に座っている作業者の体重などに起因する摩擦力が作用する。その摩擦力によって車輪５の回転が妨げられる。これにより、作業用移動椅子１０の移動が妨げられる。
【００２７】
脚部材７の上下方向の長さは車輪５の半径にほぼ等しい大きさに作られている。そうすると、座部材２の座板２２をほぼ水平状態に保つことができる。脚部材７は枠部材２１に溶接、ビス締め、接着などにより組み付けられる。脚部材７は、枠部材２１と同じ材質から作ることができる。
【００２８】
レバー６は、図２に示すように、座部材２の枠部材２１の前端部（図２のＦ方向側の端部）から上方（図２のＵ方向）に延出した棒状部材である。レバー６は、枠部材２１に溶接、ビス締め、接着などにより組み付けられる。レバー６は、枠部材２１と同じ材質から作ることができる。なお、レバー６の先端方向の握り手部分に滑り止め用のメッシュ加工を施すかあるいは樹脂、皮革、布などの別物をレバー６の先端部に巻き付けて滑り止めとしてもよい。
【００２９】
アッパアーム８は、背部材３の上部に設けられた湾曲部材である。アッパアーム８は、作業用移動椅子１０の持ち運び用に使われる。アッパーム８の両端は、背部材３の枠部材３１の両側端部の上側に溶接やビス締めによって組み付けられる。アッパーム８も重量軽減のために中空の管状部材から構成してもよい。アッパーム８は、枠部材３１と同じ材質から作ることができる。
【００３０】
次に、図２を参照して作業用移動椅子１０の使用態様について説明する。
図２において、作業者が作業用移動椅子１０の座板２２に座ると作業用移動椅子１０の脚部材７の下端が作業用移動椅子１０の置かれた面に接する。脚部材７の下端が作業用移動椅子１０の置かれた面に接すると、作業用移動椅子１０の質量及び作業者の体重に起因する摩擦力が作業用移動椅子１０の置かれた面と脚部材７の下端部との間に生じる。この摩擦力により車輪５の回転が妨げられる。これにより、作業用移動椅子１０の移動が妨げられる。また、この摩擦力を越える大きさの力で作業用移動椅子１０を動かさない限り停止状態が維持される。従って、作業者は任意の場所で作業用移動椅子１０を容易に停止させ所望の作業を行うことができる。所望の作業としては、中腰やしゃがんだ姿勢で行わざるを得ない作業、例えば除草、造園、道路工事などがある。
【００３１】
作業の途中で作業用移動椅子１０を移動させる場合は、レバー６を掴み重心を前方（図２のＦ方向）へ移動することにより、作業用移動椅子１０が置かれた面上で車輪５を支点として脚部材７の下端を作業用移動椅子１０の置かれた面から離隔するように上方に持ち上げるとよい。脚部材７の下端が作業用移動椅子１０の置かれた面から上方に持ち上げられると、車輪５の回転を妨げる状態が解消されるので作業者は車輪５を回転させ作業用移動椅子１０を移動させることができる。
【００３２】
なお、作業者が作業用移動椅子１０の上に座っていない場合に作業用移動椅子１０を動かすときは、アッパアーム８を持って脚部材７の下端部を作業用移動椅子１０の置かれた面から上方へ離隔し車輪５を回転させて移動させればよい。
【００３３】
図５に本考案の第２実施形態に係る作業用移動椅子２０を示す。作業用移動椅子２０は、第１実施形態の座板２２の代わりにメッシュシート５６を用い、第１実施形態の背凭れ板３２の代わりにメッシュシート５５を用いた例である。メッシュシート５５、５６を用いることにより種々の体格をした作業者の身体を作業用移動椅子２０の座板及び背凭れ板の形状に合致させることができる。また、メッシュシート５５、５６を用いることにより座板２２及び背凭れ板３２を用いる場合に比べて通気性が向上するとともに作業用移動椅子２０の重量を軽減させることができる。メッシュシート５５、５６は、天然繊維、人工繊維、及び金属線などから作ることができる。
なお、図５に示すように、アッパアーム１８を枠部材５７と一体的に成形してもよい。それにより、作業用移動椅子２０の部品点数が減少し、組付け工数を低減させることができる。
【００３４】
図６に本考案の第３実施形態に係る作業用移動椅子３０を示す。作業用移動椅子３０は、第１実施形態の座板２２の代わりにシート材６２を用い、第１実施形態の背凭れ板３２の代わりにシート材６５を用いた例である。シート材６２、６５を用いることにより種々の体格をした作業者の身体を作業用移動椅子３０の座板及び背凭れ板の形状に合致させることができる。また、シート材６２、６５を用いることにより作業用移動椅子３０の重量を軽減させることができる。シート材６２、６５は、皮革、天然繊維製の布、人工繊維製の布及び樹脂などから作ることができる。
【図面の簡単な説明】
【００３５】
【図１】作業用移動椅子の斜視図である。
【図２】作業用移動椅子の側面図である。
【図３】作業用移動椅子の平面図である。
【図４】作業用移動椅子の正面図である。
【図５】作業用移動椅子の第２実施形態を示す図である。
【図６】作業用移動椅子の第３実施形態を示す図である。
【符号の説明】
【００３６】
２・・・座部材、３・・・背部材、４・・・肘掛け部材、５・・・車輪、６・・・レバー、７・・・脚部材、８、１８、２８・・・アッパアーム、１０、２０、３０・・・作業用移動椅子、２１・・・枠部材、２２・・・座板、２２ａ・・・長穴、２３・・・補強部材、３１・・・枠部材、３２・・・背凭れ板、３２ａ・・・長穴、３３・・・補強部材、５１・・・軸、５２・・・軸受、５２ａ・・・ボルト、５５、５６・・・メッシュシート、６２、６５・・・シート材
【図１】
0003105105.tif 000003
【図２】
0003105105.tif 000004
【図３】
0003105105.tif 000005
【図４】
0003105105.tif 000006
【図５】
0003105105.tif 000007
【図６】
0003105105.tif 000008